(57)【要約】【課題】複数の映像ソースからえられる映像の自律制御を簡易な構成で行ない、出力映像以外の映像ソースに生じた緊急度の高い情報を出力映像と同時に出力すること。【解決手段】出力映像選択部２１が複数の映像ソースから出力すべき映像データを選択して表示している場合に、他の映像ソースにおける緊急情報の発生を緊急情報検出部２２によって監視し、緊急情報が発生した場合には透過処理部２３が透過処理によって表示中の映像データに緊急情報を含む映像データを重ねて表示する。さらに、複数の映像ソースで緊急情報が発生した場合には、優先処理部２４が映像ソースごとに設定された優先度に基づいて表示内容を制御する。【選択図】        図１
2009245010.tif 000002
【特許請求の範囲】
【請求項１】
複数の映像ソースから出力映像を選択して表示する出力映像選択手段と、
前記出力映像以外の映像ソースについて利用者に直ちに通知すべき情報である緊急情報が発生したことを検知する緊急情報検知手段と、
前記緊急情報の発生を検知した場合に、前記出力映像の少なくとも一部を透過させ、前記緊急情報が発生した映像ソースのうち少なくとも前記緊急情報を視認可能に表示する透過処理手段と、
を備えたことを特徴とする表示出力制御装置。
【請求項２】
複数の映像ソースに緊急情報が発生した場合に、映像ソースごとに設定された優先順位に基づいて透過出力における優先制御を行なう優先処理手段を更に備えたことを特徴とする請求項１に記載の表示出力制御装置。
【請求項３】
前記優先処理手段は、複数の映像ソースに発生した緊急情報の表示領域が重複した場合に、当該重複した領域については優先度の高い緊急情報を表示することを特徴とする請求項２に記載の表示出力制御装置。
【請求項４】
前記優先処理手段は、複数の映像ソースに発生した緊急情報の表示領域が重複した場合に、優先順位の低い映像ソースの緊急情報の表示位置を変更することを特徴とする請求項２に記載の表示出力制御装置。
【請求項５】
複数の映像ソースから出力映像を選択して表示する出力映像選択工程と、
前記出力映像以外の映像ソースについて利用者に直ちに通知すべき情報である緊急情報が発生したことを検知する緊急情報検知工程と、
前記緊急情報の発生を検知した場合に、前記出力映像の少なくとも一部を透過させ、前記緊急情報が発生した映像ソースのうち少なくとも前記緊急情報を視認可能に表示する透過処理工程と、
を含んだことを特徴とする表示出力制御方法。
【発明の詳細な説明】
【技術分野】
【０００１】
本発明は、複数の映像ソースから出力映像を選択して表示する表示出力制御装置および表示出力制御方法に関し、特に出力映像以外の映像ソースに生じた緊急度の高い情報を出力映像と同時に出力する表示出力制御装置および表示出力制御方法に関する。
【背景技術】
【０００２】
近年、携帯電話などの携帯情報端末や車載用のナビゲーション装置など、小型ディスプレイを有する情報提供装置の利用が広がっている。
【０００３】
かかる情報端末では、小型のディスプレイに表示する情報量を向上するため、様々な技術が考えられている。例えば、特許文献１は、携帯電話装置で複数のサービスにかかる画面を同時に表示する場合に、半透明表示によって異なる画面を同時に同一の領域に表示する技術について開示している。
【０００４】
【特許文献１】特開２００６−１０７４０４号公報
【発明の開示】
【発明が解決しようとする課題】
【０００５】
車載装置においては、ナビゲーションやテレビ受信、ＤＶＤなど、複数のまったく異なる機能を一体化した装置が広く利用されている。これらの車載装置では、各々の機能が各々映像ソースからディスプレイ全体を使用する映像を提供し、ユーザは所望の機能を切り替えて利用することとなる。
【０００６】
しかし一方で、車載装置では、ナビゲーションシステムによる誘導出力など、直ちに通知すべき緊急情報がある。このような緊急情報については、他の機能によってディスプレイ全体が使用されている場合であっても出力することがのぞましい。
【０００７】
特に車載装置では、利用者が運転操作中である場合など、車載装置の操作を自由に行なうことができない状況が起こりやすいため、緊急情報の表示制御について車載装置側で自律的に制御することが求められる。
【０００８】
さらに、複数の映像ソースからそれぞれ緊急情報が提供されることも考えられ、緊急情報の競合制御も必要である。
【０００９】
車載装置にどのような機能があり、各機能がどのような情報を出力するかが予め判明していれば、画面の割り振り、半透過による重畳表示、情報間の競合解消も容易である。しかし、車載装置の機能は後付けされることも多く、サービスや情報単位で表示出力の管理や制御を行なうことは困難であった。
【００１０】
本発明は、上述した従来技術における問題点を解消し、課題を解決するためになされたものであり、複数の映像ソースからえられる映像の自律制御を簡易な構成で行なう汎用性の高い表示出力制御装置および表示出力制御方法を提供することを目的とする。
【課題を解決するための手段】
【００１１】
上述した問題を解決し、目的を達成するため、本発明にかかる表示出力制御装置および表示出力制御方法は、複数の映像ソースから出力映像を選択して表示中に、出力映像以外の映像ソースについて利用者に直ちに通知すべき情報である緊急情報の発生を検知した場合に、出力映像の少なくとも一部を透過させて緊急情報が発生した映像ソースのうち少なくとも緊急情報を視認可能に表示する。
【発明の効果】
【００１２】
本発明によれば、複数の映像ソースからえられる映像の自律制御をおこない、特に出力映像以外の映像ソースに生じた緊急度の高い情報を出力映像と同時に出力することのできる、簡易な構成で汎用性の高い表示出力制御装置および表示出力制御方法を得ることができるという効果を奏する。
【発明を実施するための最良の形態】
【００１３】
以下図面を参照して、本発明に係る表示出力制御装置および表示出力制御方法について説明する。
【実施例】
【００１４】
図１は、本発明の実施例である車載装置１の概要構成を示す概要構成図である。同図に示したように車載装置１は、その内部にナビゲーションユニット１１、テレビ受信ユニット１２、ＤＶＤ再生ユニット１３、ＨＤＤコンテンツ再生ユニット１４、カメラユニット１５、出力制御部２０、ディスプレイ３１、スピーカ３２、タッチパネル３３、スイッチ３４を有する。
【００１５】
ナビゲーションユニット１１は、ＧＰＳ（Global Positioning System）人工衛星と通信して特定した自車両の位置と、予め記憶した地図データとを利用して走行経路の設定および誘導を行なう車載装置である。
【００１６】
ナビゲーションユニット１１は、設定した走行経路や、誘導に関する情報を映像データとして出力する。これに加えて、ナビゲーションユニット１１は、自車両の位置情報や周辺の地図情報、道路に関する情報などを映像データとして提供する映像ソースとして機能する。
【００１７】
さらに、ナビゲーションユニット１１は、ＶＩＣＳ（Vehicle Information and Communication System）によって取得した渋滞情報や事故情報などの交通情報やＥＴＣ（（Electronic Toll Collection System）による課金情報を管理し、これらの情報を映像データとして出力する。
【００１８】
テレビ受信ユニット１１は、テレビ放送波を受信して映像データとして出力する。また、デジタルテレビ放送では、地震情報などの災害情報、速報情報などのデータを受信し、映像データに含めて出力する。
【００１９】
ＤＶＤ再生ユニット１３およびＨＤＤコンテンツ再生ユニット１４は、それぞれ記録媒体、すなわちＤＶＤ（Digital Versatile Disk）やＨＤＤ（Hard disk drive）に格納された映像データを読み出して再生する映像ソースとして機能するユニットである。
【００２０】
カメラユニット１５は、自車両の周囲を撮影する撮影手段であり、撮影結果を映像データとして出力する映像ソースとして機能する。また、撮影結果に対して画像認識し、画像認識の結果を併せて出力することもできる。
【００２１】
ディスプレイ３１は、ユーザである車両乗員に対して表示出力を行なう出力手段であり、スピーカ３２は、ユーザに対して音声出力を行なう出力手段である。また、タッチパネル３３およびスイッチ３４は、ユーザからの操作入力を受け付ける入力手段である。
【００２２】
出力制御部２０は、ユーザに対する入出力を統合制御する制御部である。各映像ソース（ナビゲーションユニット１１、テレビ受信ユニット１２、ＤＶＤ再生ユニット１３、ＨＤＤコンテンツ再生ユニット１４、カメラユニット１５）は、各々がディスプレイ３１の全体を利用することを想定した映像出力を行なうので、出力制御部２０は、これらの映像データから、ディスプレイ３１に表示する映像を選択する処理を行なう。
【００２３】
加えて、出力制御部２０は、映像データを表示中の映像ソース以外の映像ソースにおいて、利用者に直ちに通知すべき情報である緊急情報が発生した場合には、表示出力中の映像の少なくとも一部を透過させ、緊急情報を視認可能に表示する。
【００２４】
このため、出力制御部２０は、その内部に出力映像選択部２１、緊急情報検出部２２、透過処理部２３、優先処理部２４を有する。
【００２５】
出力映像選択部２１は、映像ソースからディスプレイ３１に表示出力する出力映像を選択する処理を行なう処理部であり、緊急情報検出部２２は、映像ソースにおける緊急情報の発生を検出する処理を行なう処理部である。
【００２６】
透過処理部２３は、表示中の映像データと緊急情報が発生した映像データとを用いて画像処理を行なって、ユーザから半透過状態として視認される合成画像を作成する処理を行なう。
【００２７】
優先処理部２４は、複数の映像ソースに緊急情報が発生した場合に、映像ソースごとに設定された優先順位に基づいて透過出力における優先制御を行なう処理部である。
【００２８】
つぎに図２を参照し、出力制御部２０による映像の出力制御の具体例について説明する。図２に示した例では、ユーザがＤＶＤの再生を指定しており、ＤＶＤ再生ユニット１３を映像ソースとする映像データＶ１が表示率１００％で表示され、ＨＤＤコンテンツ再生ユニット１４を映像ソースとする映像データＶ２、ナビゲーションユニット１１を映像ソースとする映像データＶ３、テレビ受信ユニット１２を映像ソースとする映像データＶ４はそれぞれ表示率０％である。
【００２９】
ここで、ナビゲーション映像である映像データＶ３に緊急情報Ｖ３ａが発生し、デジタルテレビ映像である映像データＶ４に緊急情報Ｖ４ａが発生した場合、透過処理部２３は、出力映像である映像データのうち、緊急情報Ｖ３ａ，Ｖ４ａに対応する領域の表示率を６０％とし、緊急情報Ｖ３ａ，Ｖ４ａの表示率をそれぞれ４０％にして重ね合わせる。
【００３０】
この透過処理は、例えばアルファブレンドを用いることで実現する。具体的には、透過率をαとし、
表示する画素値＝出力映像の画素値×（１−α）＋緊急情報の画措置×α
の算出式によって表示する画素値を求めることで、表示映像を透かして緊急情報が見えるように表示することができる。
【００３１】
この算出式では、透過率αの値が０の時に出力映像の表示率が１００％となって、透過が行なわれず、透過率αの値が１である時に出力映像の表示率が０％となって緊急情報のみが表示される。図２に示した例では出力映像と緊急情報をともに視認させるために透過率を４０％としているが、この値は適宜設定可能であり、固定した値としてもよいし、緊急情報の内容などに基づいて変更するようにしてもよい。
【００３２】
さて、図２に示した例では、異なる二つの映像ソースで発生した緊急情報Ｖ３ａと緊急情報Ｖ４ａとは表示する位置に重複がないが、各々の映像ソースは元々独立して緊急情報の表示位置を定めるため、緊急情報Ｖ３ａ，Ｖ４ａの表示位置が重なる可能性がある。
【００３３】
優先処理部２４は、複数の映像ソースに緊急情報が発生し、その表示領域が重複した場合に、当該重複した領域については優先度の高い緊急情報を表示することで、優先度の低い緊急情報の上に優先度の高い緊急情報が被さっているように表示する上下制御、もしくは優先順位の低い映像ソースの緊急情報の表示位置を変更する位置制御を行なう。
【００３４】
図３は、優先処理部２４による優先制御の具体例を説明する説明図である。図３に示した例では、ナビゲーション映像である映像データＶ３に発生した緊急情報Ｖ３ａと、デジタルテレビ映像である映像データＶ４に発生した緊急情報Ｖ４ａとの表示領域の位置が一部重複している。
【００３５】
ここではナビゲーション映像の優先順位がデジタルテレビ映像の優先順位に対して高く設定されているので、優先処理部２４が上下制御を行なうと緊急情報Ｖ３ａはその全てが半透過表示され、緊急情報Ｖ４ａについては緊急情報Ｖ３ａと重複しない部分のみが表示される。
【００３６】
また、優先処理部２４が位置制御を行なうと、優先順位の高い緊急情報Ｖ３ａについては元々の映像データでの表示位置と同じ位置に表示され、優先順位の低い緊急情報Ｖ４ａは表示位置を変更して緊急情報Ｖ４ａ’として表示される。
【００３７】
優先処理部２４が用いる優先順位は、映像ソースごとに設定する。優先順位の設定の具体例を図４に示す。同図に示したように、ナビゲーションからは緊急情報として経路案内用の出力である案内出力や、ＶＩＣＳなどによって提供される渋滞や規制等の交通情報、ＥＴＣ課金に関する情報などが出力される。
【００３８】
また、カメラによる撮影結果をそのまま映像データとして出力する場合には緊急情報は発生しないが、例えば撮影結果に対して画像認識を行なう場合、画像認識によって自車両と衝突する可能性のある物体を認識した場合には衝突危険通知として緊急情報が発生する場合がある。さらにテレビ放送では、地震情報、災害情報、速報テロップなどが緊急情報として出力される。
【００３９】
図４に示した例では、このうち、ナビゲーションに対して優先度１、カメラ画像に対して優先度２、テレビ放送に対して優先度３を設定し、緊急情報が競合した場合には優先度の値が最も小さい映像ソースの優先順位を最も高くして優先制御を行なう。
【００４０】
つぎに図５を参照し、出力制御部２０の処理動作について説明する。同図に示したフローチャートは、ユーザの操作や各ユニットの自律的な判断に基づいていずれかの映像ソースを指定した表示出力要求が発生した場合に開始する。
【００４１】
まず出力映像選択部２１は指定された映像ソースが出力する映像データをディスプレイ３１に対して全面１００％の表示率で出力し（ステップＳ１０１）、緊急情報検出部２２が他の映像ソースにおける緊急情報の発生を監視する（ステップＳ１０２）。
【００４２】
その結果、緊急情報の発生を検出した場合（ステップＳ１０２，Ｙｅｓ）、緊急情報検出部２２は複数の映像ソースから緊急情報が発生したか否かを判定する（ステップＳ１０３）。
【００４３】
そして、複数の映像ソースから緊急情報が発生していれば（ステップＳ１０３，Ｙｅｓ）、優先処理部２４が緊急情報の優先制御を行なった（ステップＳ１０４）うえで、透過処理部２３が緊急情報の透過制御を行なう（ステップＳ１０５）。
【００４４】
このステップＳ１０３からステップＳ１０５までの処理は、緊急情報の表示が終了する（ステップＳ１０６，Ｙｅｓ）まで繰り返す。そして、緊急情報の表示が終了した（ステップＳ１０６，Ｙｅｓ）場合、もしくは緊急情報が発生していなかった場合（ステップＳ１０２，Ｎｏ）には、表示終了の要求を受け付けたか否かを判定し（ステップＳ１０７）、表示終了の要求を受け付けるまで（ステップＳ１０７，Ｙｅｓが成立するまで）ステップＳ１０１からの処理を繰り返す。
【００４５】
以上説明してきたように、本実施例にかかる車載装置１は、出力映像選択部２１が複数の映像ソースから出力すべき映像データを選択して表示している場合に、他の映像ソースにおける緊急情報の発生を緊急情報検出部２２によって監視し、緊急情報が発生した場合には透過処理によって表示中の映像データに緊急情報を含む映像データを重ねて表示する。
【００４６】
そのため、ナビゲーションシステムによる誘導出力など、直ちに通知すべき緊急情報については、他の機能によってディスプレイ全体が使用されている場合であっても出力することができる。
【００４７】
さらに、透過表示を利用して複数の映像データを同時に視認可能となるように表示することで、各々の映像データがどのような情報をどの位置に表示しているかを考慮することなく、簡易な構成と制御で複数の映像データを同時に提示することができる。
【００４８】
また、緊急情報が複数の映像ソースから提供されて競合した場合には、映像ソース単位に設定された優先度に従って表示制御を行なうので、簡易な構成と制御で競合を解消できる。そのため、新規の機能を後から追加した場合であっても、表示出力の管理や制御を容易に実行できる。
【００４９】
なお、本実施例に示した構成および動作はあくまで一例であり、本発明を限定するものではない。本発明はその構成を適宜変形して実施することか可能なものである。たとえば、本実施例では、緊急情報が発生した場合に緊急情報に対応する領域のみを半透過表示する場合について説明を行なったが、緊急情報が発生した映像データの全面を半透過表示する（ディスプレイ全面が半透過状態となる）ようにしてもよい。
【産業上の利用可能性】
【００５０】
以上のように、本発明にかかる表示出力制御装置および表示出力制御方法は、複数の映像ソースからえられる映像の自律制御に有用であり、特に、特に出力映像以外の映像ソースに生じた緊急度の高い情報を出力映像と同時に出力する制御に適している。
【図面の簡単な説明】
【００５１】
【図１】本発明の実施例にかかる車載装置の概要構成を示す概要構成図である。
【図２】映像の出力制御の具体例について説明する説明図である。
【図３】競合した緊急情報の優先制御について説明する説明図である。
【図４】映像ソースごとの緊急情報と優先度設定につい説明する説明図である。
【図５】本実施例にかかる車載装置の処理動作を説明するフローチャートである。
【符号の説明】
【００５２】
１    車載装置
１１    ナビゲーションユニット
１２    テレビ受信ユニット
１３    ＤＶＤ再生ユニット
１４    ＨＤＤコンテンツ再生ユニット
１５    カメラユニット
２０    出力制御部
２１    出力映像選択部
２２    緊急情報検出部
２３    透過処理部
２４    優先処理部
３１    ディスプレイ
３２    スピーカ
３３    タッチパネル
３４    スイッチ
Ｖ１〜Ｖ４    映像データ
Ｖ３ａ，Ｖ４ａ，Ｖ４ａ’  緊急情報
【図１】
2009245010.tif 000003
【図２】
2009245010.tif 000004
【図３】
2009245010.tif 000005
【図４】
2009245010.tif 000006
【図５】
2009245010.tif 000007